(57)【要約】      （修正有）【課題】有機発光ディスプレイパネルを提供する。【解決手段】複数の配列が配置された画素ユニットが形成される構造を有し、  各画素ユニットが一つの第一副画素１１１と、一つの第二副画素１１２と、一つの第三副画素１１３と、二つの第四副画素１１４とを有する。第二副画素１１２と、第三副画素１１３と、第四副画素１１４が四角形になるように配置され、かつ第一副画素１１１を取り囲み、第二副画素１１２と、第三副画素１１３と、第四副画素１１４が隣接する四つの画素ユニットで共用される。本考案において、第一副画素が主に表示するために発光し、第二副画素と、第三副画素と、第四副画素は補助的に発光する。これにより、同一のＰＰＩと設計マージンでの状況下において主に表示するために発光する副画素の開口率を向上させ、又は、同一のＰＰＩと開口率での状況下において製品の設計マージンを高めさせ、工程の難度を低下させることができる。【選択図】図４
0003211280.tif 000002
【実用新案登録請求の範囲】
【請求項１】
複数の配列が配置された画素ユニットを有し、各画素ユニットが一つの第一副画素と、一つの第二副画素と、一つの第三副画素と、二つの第四副画素とを有し、
前記第二副画素と、第三副画素と、第四副画素が四角形になるように配置され、かつ前記第一副画素を取り囲み、前記第二副画素と、第三副画素と、第四副画素が隣接する四つの画素ユニットで共用される、
ことを特徴とする画素構造。
【請求項２】
前記第二副画素と第三副画素がそれぞれ四角形の相対する二つの頂点上に位置し、前記二つの第四副画素がそれぞれ四角形の別の相対する頂点上に位置する、
ことを特徴とする請求項１に記載の画素構造。
【請求項３】
前記第一副画素がその隣接する第二副画素の中心点と、第三副画素の中心点を結ぶ接続線上に位置し、及び／又は、前記第一副画素がその隣接する二つの第四副画素の中心点との接続線上に位置する、
ことを特徴とする請求項２に記載の画素構造。
【請求項４】
前記第一副画素と、第二副画素と、第三副画素と、第四副画素がいずれも多角形である、
ことを特徴とする請求項１に記載の画素構造。
【請求項５】
前記第一副画素と、第二副画素と、第三副画素と、第四副画素が四角形、六角形、八角形の内の一種又はその任意の組み合わせである、
ことを特徴とする請求項１に記載の画素構造。
【請求項６】
前記第一副画素が長方形であり、前記第二副画素と、第三副画素と、第四副画素がいずれも正方形である、
ことを特徴とする請求項５に記載の画素構造。
【請求項７】
前記第一副画素の短辺方向が隣接する第二副画素の中心点と、第三副画素の中心点の接続方向に平行であって、前記第一副画素の長辺方向が隣接する二つの第四副画素の中心点との接続方向に平行であり、
又は、前記第一副画素の短辺方向が隣接する第二副画素の中心点と、第三副画素の中心点の接続方向に垂直であって、前記第一副画素の長辺方向が隣接する二つの第四副画素の中心点との接続方向に垂直である、
ことを特徴とする請求項６に記載の画素構造。
【請求項８】
隣接する二つの画素ユニットの第一副画素と、第二副画素と、第三副画素と、第四副画素がいずれも対称に設置される、
ことを特徴とする請求項６に記載の画素構造。
【請求項９】
前記第一副画素と、第二副画素と、第三副画素と、第四副画素の発光色がそれぞれ異なる、
ことを特徴とする請求項１に記載の画素構造。
【請求項１０】
請求項１乃至９の内のいずれか一項に記載される画素構造を有する、
ことを特徴とするＯＬＥＤディスプレイパネル。 
【考案の詳細な説明】
【技術分野】
【０００１】
本考案はディスプレイ技術分野に関わるものであり、特に画素構造及び該画素構造を有するＯＬＥＤディスプレイパネルに関わるものである。
【背景技術】
【０００２】
有機発光ディスプレイパネル（英語正式名称Ｏｒｇａｎｉｃ  Ｌｉｇｈｔ−Ｅｍｉｔｔｉｎｇ  Ｄｉｓｐｌａｙ、略称ＯＬＥＤディスプレイパネル）は、自発光する、薄くて軽い、視野角が広域である、応答速度が速い、省エネ、温度許容範囲が広い、フレキシブルディスプレイ、透明ディスプレイ等の特長を有し、次世代において最も高い潜在能力を有する新型フラットパネルディスプレイ技術と見なされている。
【０００３】
ＯＬＥＤディスプレイパネルのフルカラー化方式において、カラーフィルタ（英語正式名称ｃｏｌｏｒ  ｆｉｌｔｅｒ、略称ＣＦ）法と赤、緑、青（三原色Ｒｅｄ、Ｇｒｅｅｎ、Ｂｌｕｅ、略称ＲＧＢ）画素法が、現在、開発が比較的進んでいる二種の方法である。
【０００４】
ＯＬＥＤディスプレイパネル分野のカラーフィルタ法は、液晶パネル分野におけるフルカラーディスプレイのカラーフィルタ法に類似するものであり、白色有機発光ダイオードはバックライトパネルとして液晶パネル中のバックライトパネルと液晶分子の役割を果たし、上面に更に光学フィルタを追加することで赤、緑、青の副画素を実現する。このようにすれば解像度と大面積製造の問題を非常にうまく解決することができる。しかしながら、光線がカラーフィルタを通過することで、かなり大きなエネルギー損失が生じることになり、ディスプレイパネルの電力消費を増大させてしまう。
【０００５】
ディスプレイパネルの電力消費を有効に低減するために、通常は、ＲＧＢ画素法を採用することができる。
【０００６】
図１は従来のＲＧＢ画素法を採用したＯＬＥＤディスプレイパネルの概要を示す図である。図１に示す通り、ＯＬＥＤディスプレイパネルはＲＧＢ画素並列法を採用し、数個の画素ユニットＰｉｘｅｌを有し、各画素ユニットＰｉｘｅｌはいずれも水平方向に順次配列される一つの赤副画素ユニットＲと、一つの緑副画素ユニットＧと、一つの青副画素ユニットＢとを有し、ＯＬＥＤディスプレイパネル上の全副画素ユニットがマトリクス配列を呈し、更に各副画素ユニットがいずれも表示域１と非表示域２とを有する。具体的には、各副画素ユニットの表示域１中に、陰極と、陽極と、電界発光層（有機発射層）とを有し、ここで、電界発光層が陰電極と陽電極の間に位置し、所定の色の光線を生成して表示を実現するために用いられる。一般的には蒸着方式によってＯＬＥＤディスプレイパネル上に電界発光層を形成する。既存技術においてディスプレイパネルを製造する場合は、通常、三回の蒸着工程を用いてそれぞれ対応する色の画素ユニットの表示域１中において対応する色（赤、緑又は青）の電界発光層を形成する必要がある。
【０００７】
図２は従来の別のＲＧＢ画素法を採用するＯＬＥＤディスプレイパネルの概要を示す図である。図２に示す通り、ＲＧＢ画素マトリクス法を採用するＯＬＥＤディスプレイパネルは、数個の画素ユニットＰｉｘｅｌを有し、各画素ユニットＰｉｘｅｌは、一つの赤副画素ユニットＲと、一つの緑副画素ユニットＧと、一つの青副画素ユニットＢとを有し、上述の三つの副画素ユニット中、二つの画素ユニット、例えば赤副画素ユニットＲと緑副画素ユニットＧが一列に配列され、第３の画素ユニット、例えば青副画素ユニットＢが別の一列に配列され、ＯＬＥＤディスプレイパネル上の全副画素ユニットがマトリクス配列を呈する。
【０００８】
技術の発展に伴い、ユーザーのＯＬＥＤディスプレイパネル解像度に対する要求はますます高くなり、従来のＲＧＢ画素配列では製品の高ＰＰＩ（１インチ当たりの画素数）設計に対する要求を既に満たせなくなっている。
【考案の概要】
【考案が解決しようとする課題】
【０００９】
本考案は、以下の画素構造を提供する。複数の配列が配置された画素ユニットを有し、各画素ユニットが一つの第一副画素と、一つの第二副画素と、一つの第三副画素と、二つの第四副画素とを有し、前記第二副画素と、第三副画素と、第四副画素とが四角形を形成するように配置され、かつ前記第一副画素を取り囲み、前記第二副画素と、第三副画素と、第四副画素は隣接する四つの画素ユニットで共用される。
【００１０】
一つの実施形態において、前記第二副画素と第三副画素がそれぞれ四角形の相対する二つの頂点上に位置し、前記二つの第四副画素がそれぞれ四角形の別の相対する頂点上に位置する。前記第一副画素はその隣接する第二副画素の中心点と、第三副画素の中心点を結ぶ接続線上に位置し、及び／又は、前記第一副画素がその隣接する二つの第四副画素の中心点との接続線上に位置する。
【００１１】
一つの実施形態において、前記第一副画素と、第二副画素と、第三副画素と、第四副画素がいずれも多角形である。
【００１２】
一つの実施形態において、前記第一副画素と、第二副画素と、第三副画素と、第四副画素が四角形、六角形、八角形の内の一種又はその任意の組み合わせである。
【００１３】
一つの実施形態において、前記第一副画素が長方形であり、前記第二副画素と、第三副画素と、第四副画素がいずれも正方形である。
【００１４】
一つの実施形態において、前記第一副画素の短辺方向が隣接する第二副画素と第三副画素の中心点との接続方向に平行であって、前記第一副画素の長辺方向が隣接する二つの第四副画素の中心点との接続方向に平行であり、又は、前記第一副画素の短辺方向が隣接する第二副画素と第三副画素の中心点との接続方向に垂直であって、前記第一副画素の長辺方向が隣接する二つの第四副画素の中心点との接続方向に垂直である。
【００１５】
一つの実施形態において、隣接する二つの画素ユニットの第一副画素と、第二副画素と、第三副画素と、第四副画素がいずれも対称に設置される。
【００１６】
一つの実施形態において、前記第一副画素と、第二副画素と、第三副画素と、第四副画素の発光色がそれぞれ異なる。
【００１７】
本考案は更に上述の画素構造を有するＯＬＥＤディスプレイパネルを提供する。
【００１８】
上述の技術的課題を解決するため、本考案は以下のＯＬＥＤディスプレイパネルの画素構造を提供する。各画素ユニットは一つの第一副画素と、一つの第二副画素と、一つの第三副画素と、二つの第四副画素とを有し、第二副画素と、第三副画素と、第四副画素は隣接する四つの画素ユニットの共用部であり、第二副画素と、第三副画素と、第四副画素は四角形になるように配置され、前記第一副画素が前記四角形内に位置し、第一副画素が主に表示するために発光し、第二副画素と、第三副画素と、第四副画素は補助的に発光する。これにより、同一のＰＰＩと設計マージンでの状況下において主に表示するために発光する副画素の開口率を向上させ、又は、同一のＰＰＩと開口率での状況下において製品の設計マージンを高めさせ、工程の難度を低下させることができる。
【図面の簡単な説明】
【００１９】
【図１】従来のＯＬＥＤディスプレイパネルの一部画素構造の概要を示す図である。
【図２】従来の別のＯＬＥＤディスプレイパネルの一部画素構造の概要を示す図である。
【図３】本考案の実施例一のＯＬＥＤディスプレイパネルの一部画素構造の概要を示す図である。
【図４】図３に示す画素構造の内の四つの画素ユニットの概要を示す図である。
【図５】図３に示す画素構造の内の一つの画素ユニットの概要を示す図である。
【図６】本考案の実施例二のＯＬＥＤディスプレイパネルの一部画素構造の概要を示す図である。
【図７】図６に示す画素構造の内の四つの画素ユニットの概要を示す図である。
【図８】図６に示す画素構造の内の一つの画素ユニットの概要を示す図である。
【図９】本考案の実施例三のＯＬＥＤディスプレイパネルの一部画素構造の概要を示す図である。
【図１０】図９に示す画素構造の内、四つの画素ユニットの概要を示す図である。
【考案を実施するための形態】
【００２０】
背景技術において述べた通り、従来のＲＧＢ画素配列では製品の高ＰＰＩ設計に対する要求を既に満たせなくなっている。このことに基づき、本考案は以下のＯＬＥＤディスプレイパネルの画素構造を提供する。複数の配列が配置された画素ユニットを有し、各画素ユニットは一つの第一副画素と、一つの第二副画素と、一つの第三副画素と、二つの第四副画素とを有し、前記第二副画素と、第三副画素と、第四副画素は隣接する四つの画素ユニットの共用部であり、前記第二副画素と、第三副画素と、第四副画素が四角形になるように配置され、前記第二副画素と、第三副画素と、第四副画素が第一副画素を取り囲み、前記第一副画素が前記四角形内に位置する。ここで、第一副画素が主に表示するために発光し、第二副画素と、第三副画素と、第四副画素は補助的に発光する。これにより、同一のＰＰＩと設計マージンでの状況下において主に表示するために発光する副画素の開口率を向上させ、部品の寿命を延長させ、又は、同一のＰＰＩと開口率での状況下において製品の設計マージンを高めさせ、工程の難度を低下させ、収率を向上させることができる。
【００２１】
以上が本出願の核となる思想であり、以下、本考案の実施例中の図を参照し、本考案の実施例中の技術的解決手段について明確かつ不備無く説明する。ここで説明する実施例は本考案の一部の実施例に過ぎず、全ての実施例でないことは言うまでもない。本考案中の実施例に基づき、本分野の一般的な技術者が創造的な作業を行わないという前提下において獲得したその他の実施例は、全て本考案の保護の範囲に該当する。
【００２２】
以下、実施例を通じて本考案が提供する画素構造及び該画素構造を有するＯＬＥＤディスプレイパネルについて具体的に説明する。
【００２３】
実施例一
図３は本考案の実施例一のＯＬＥＤディスプレイパネルの一部画素構造の概要を示す図である。また図４は図３に示す画素構造の内の四つの画素ユニットの概要を示す図であり、図５は図３に示す画素構造の内の一つの画素ユニットの概要を示す図である。
【００２４】
図３〜５に示す通り、ＯＬＥＤディスプレイパネルの画素構造は複数の配列が配置された画素ユニット１１０を有し、各画素ユニット１１０は五つの副画素を有し、それぞれ一つの第一副画素１１１と、一つの第二副画素１１２と、一つの第三副画素１１３と、二つの第四副画素１１４とを有する。前記第一副画素１１１は一つの画素ユニット１１０専用であり、第二副画素１１２と、第三副画素１１３と、第四副画素１１４は隣接する四つの画素ユニットで共用される。第一副画素１１１は主表示ユニットであり、そのＰＰＩは製品のＰＰＩを代表するものであり、その他三つの副画素は補助表示ユニットである。補助的に発光する副画素は配色のみに使用され、光度の提供には使用されないため、これによりその面積は従来の構造よりも更に小さくなり、主に表示するために発光する副画素のためにより多くの空間を残すことが可能となる。同一のＰＰＩと設計マージンでの状況下において、副画素の開口率を向上させ、部品の寿命を延長させることができる。同一のＰＰＩと開口率での状況下において、補助的に発光する副画素の面積を縮小することができ、隣接する画素間の間隙を相応に拡大することによって、ファインメタルマスクを使用する沈積工程における有機発射層の沈積安定性の改善に寄与し、製品の設計マージンを高めさせ、工程の難度を低下させることができる。
【００２５】
図５中の四角い点線の囲みに示されるように、前記一つの第二副画素１１２と、一つの第三副画素１１３と、二つの第四副画素１１４が四角形、例えば正方形のように配置される。第二副画素１１２と、第三副画素１１３は、四角形の相対する二つの頂点（四角形の対角線上の二つの頂点）Ｐ１、Ｐ３上に位置し、二つの第四副画素１１４が四角形の別の二つの相対する頂点（四角形の別の対角線上の二つの頂点）Ｐ２、Ｐ４上に位置する。第二副画素１１２と、第三副画素１１３と、第四副画素１１４が第一副画素１１１を取り囲み、言い変えれば、第一副画素１１１が四角形の内部に位置する。
【００２６】
図５を主に参照するに、本実施例において、第一副画素１１１はその隣接する第二副画素１１２と第三副画素１１３との接続線の中心に位置し、かつ、第一副画素１１１がその隣接する二つの第四副画素１１４との接続線の中心に位置し、言い変えれば、第一副画素１１１が四角い点線の囲みの中心に位置する。第一副画素１１１の位置は以上の説明に限定されないことは言うまでもなく、例えば、第一副画素１１１は第二副画素１１２と第三副画素１１３の接続線上に位置しなくてもよく、また二つの第四副画素１１４の接続線上に位置しなくてもよい。実際には、第一副画素１１１が前記四角形の内部に位置していればよく、四角形の中心に位置していなくともよい。
【００２７】
本実施例の画素構造において、第一副画素１１１と、第二副画素１１２と、第三副画素１１３と、第四副画素１１４がいずれも四角形であり、より具体的には、第一副画素１１１が長方形であり、第二副画素１１２と、第三副画素１１３と、第四副画素１１４がいずれも正方形である。更に、第一副画素１１１の長辺方向が隣接する第二副画素１１２の中心点と、第三副画素１１３の中心点の接続方向に平行であって、その短辺方向が隣接する二つの第四副画素１１４の接続方向と平行である。
【００２８】
更に好ましくは、任意の隣接する二つの仮想的な四角い囲みが共通の辺（図４において仮想的な辺Ｌ１、Ｌ２で示す通りである）を共有し、隣接する二つの画素ユニットの第一副画素１１１が二つの仮想的な四角い囲みの共有する辺に沿って鏡面対称であり、即ち、隣接する二つの第一副画素１１１が隣接する第二副画素１１２の中心点と、第四副画素１１４の中心点の接続方向に沿って鏡面対称である。ここで言う「鏡面対称」とは二つの第一副画素１１１の形状は同一であるが方向が異なる対称のことを言う。隣接する二つの第二副画素１１２は隣接する二つの第三副画素１１３の中心点の接続方向に沿って自己対称であり、隣接する二つの第三副画素１１３は隣接する二つの第二副画素１１２の中心点の接続方向に沿って自己対称であり、隣接する二つの第四副画素１１４は隣接する第二副画素１１２の中心点と、第三副画素１１３の中心点の接続方向に沿って自己対称である。ここで言う「自己対称」とは二つの副画素の形状と方向が完全に同一な対称のことを言う。
【００２９】
以上、四角形を例に挙げて第一副画素１１１と、第二副画素１１２と、第三副画素１１３と、第四副画素１１４の形状を紹介したが、本考案のその他の実施形態において、第一副画素１１１と、第二副画素１１２と、第三副画素１１３と、第四副画素１１４はその他の形状、例えば、三角形、五角形、六角形、七角形、八角形等といった複数の多角形の内の一種又は複数であってもよく、更に第一副画素１１１の長辺方向は第二副画素１１２の中心点と、第三副画素１１３の中心点の接続方向に平行でなくともよく、例えば一定の夾角を有することとする。
【００３０】
引き続き図４と図５を参照するに、本実施例において、第二副画素１１２と第三副画素１１３の面積が同一であり、各第四副画素１１４は隣接する第二副画素１１２と第三副画素１１３より更に小さい面積を有し、各第一副画素１１１は隣接する第四副画素１１４より更に小さい面積を有する。本実施例においては第一副画素１１１の面積を最小とし、その他の副画素の面積をいずれも第一副画素１１１の面積より大きくするのは、その他の副画素はいずれも隣接する四つの画素ユニットで共用されることを考慮したためであり、それらの面積をやや大きくさせた。しかしながら、本考案は各副画素の具体的な面積を限定するものではなく、第一副画素１１１と、第二副画素１１２と、第三副画素１１３と、第四副画素１１４の面積は同一であっても、同一でなくともよく、配色の要求に応じて各副画素の面積を相応に調節できることを理解すべきである。
【００３１】
図４に示す通り、隣接する第一副画素１１１間の距離をＤ１、第一副画素１１１と隣接する第二副画素１１２間の距離をＤ２、第一副画素１１１と隣接する第三副画素１１３間の距離をＤ３、第一副画素１１１と隣接する二つの第四副画素１１４間の距離をいずれもＤ４とする。第一副画素１１１は主に表示するために発光し、第二副画素１１２と、第三副画素１１３と、第四副画素１１４は補助的に発光し、補助的に発光する画素は配色のみに使用され、光度の提供には使用されないため、その面積を従来の構造よりも更に小さくすることができ、主に表示するために発光する副画素のためにより多くの空間を残すことができる。従来の構造と同一のＰＰＩと開口率での状況下において、補助的に発光する副画素の面積を縮小させた後、隣接する副画素間の間隙であるＤ２、Ｄ３、Ｄ４等を相応に拡大することで、ファインメタルマスクを使用する沈積工程における有機発射層の沈積安定性を改善し、製品の設計マージンを高めさせ、工程の難度を低下させることができる。
【００３２】
本実施例では、各奇数行において第二副画素１１２と第三副画素１１３を交互に配列し、かつ二者の間の全てに一つの第一副画素 １１１を配列し、例えば図３中の第一仮想直線Ｘ１に沿って配列する。各偶数行において第一副画素１１１と第四副画素１１４を交互に配列し、例えば図３中の第二仮想直線Ｘ２に沿って配列する。各奇数列において第二副画素１１２と第三副画素１１３を交互に配列し、かつ二者の間の全てに一つの第一副画素１１１を配列し、例えば図３中の第一仮想直線Ｙ１に沿って配列する。各偶数列において第一副画素１１１と第四副画素１１４を交互に配列し、例えば図３中の第二仮想直線Ｙ２に沿って配列する。本考案のその他の実施形態において、第二副画素１１２と第三副画素１１３の位置を交換してもよい。言い変えれば、各奇数行において第一副画素１１１と第四副画素１１４を交互に配列してもよい。各偶数行において、第二副画素１１２と第三副画素１１３を交互に配列し、かつ二者の間の全てに一つの第一副画素１１１を備えてもよい。各奇数列において、第一副画素１１１と第四副画素１１４を交互に配列してもよい。各偶数列において第二副画素１１２と第三副画素１１３を交互に配列し、かつ二者の間の全てに一つの第一副画素１１１を備えてもよい。なお簡潔を期するため、図３はＯＬＥＤディスプレイパネルの一部画素構造を概略的に表示したに過ぎず、実際はより多くの列及び／又はより多くの行を設置できることを理解すべきである。
【００３３】
一つの実施形態において、第一副画素１１１は黄色光又は白色光を発射し、かつ黄色光又は白色光を発射するための有機発射層を有する。第二副画素１１２は赤色光を発射し、かつ赤色光を発射するための有機発射層を有する。第三副画素１１３は青色光を発射し、かつ青色光を発射するための有機発射層を有する。第四副画素１１４は緑色光を発射し、かつ緑色光を発射するための有機発射層を有する。なお副画素の色光は交換可能であって、以下の条件を満たせば足りることを理解すべきである。第一副画素１１１と、第二副画素１１２と、第三副画素１１３と、第四副画素１１４中に、少なくとも赤色副画素と、緑色副画素と、青色副画素を有する。言い変えれば、前記第一副画素１１１と、第二副画素１１２と、第三副画素１１３と、第四副画素１１４中の色がそれぞれ異なっていてもよく、例えば上述の形態においてそれぞれ黄色光と、赤色光と、緑色光と、青色光、又は白色光と、赤色光と、緑色光と青色光でもよい。またその内の二種の副画素の色が同一であってもよく、第一副画素１１１と、第二副画素１１２と、第三副画素１１３と、第四副画素１１４が赤色光と、緑色光と、青色光を発射し、例えば第一副画素１１１と第四副画素１１４が緑色光を発射し、第二副画素１１２が赤色光を発射し、第三副画素１１３が青色光を発射する等でも良いが、ここでは逐一列記しない。
【００３４】
実施例二
図６は本考案の実施例二のＯＬＥＤディスプレイパネルの一部画素構造の概要を示す図である。図７は図６に示す画素構造の内の四つの画素ユニットの概要を示す図であり、図８は図６に示す画素構造の内の一つの画素ユニットの概要を示す図である。
【００３５】
図６から図８に示す通り、本実施例において、ＯＬＥＤディスプレイパネルの画素構造は、複数の配列が配置された画素ユニット１１０を有し、各画素ユニット１１０はそれぞれ一つの第一副画素１１１と、一つの第二副画素１１２と、一つの第三副画素１１３と、二つの第四副画素１１４という五つの副画素を有し、前記第一副画素１１１は画素ユニット１１０専用であり、第二副画素１１２と、第三副画素１１３と、第四副画素１１４は隣接する四つの画素ユニットで共用される。
【００３６】
本実施例が実施例一と異なる点は、第一副画素１１１の短辺方向が隣接する第二副画素１１２の中心点と、第三副画素１１３の中心点の接続方向に平行であって、その長辺方向が隣接する二つの第四副画素１１４の接続方向と平行である点であり、図８に示す通りである。
【００３７】
更に、本実施例において、第二副画素１１２と第三副画素１１３の面積は同一であって、かつ各第一副画素１１１は隣接する第二副画素１１２と第三副画素１１３より更に小さい面積を有し、また各第四副画素１１４は隣接する第一副画素１１１より更に小さい面積を有する。
【００３８】
実施例三
図９は本考案の実施例三のＯＬＥＤディスプレイパネルの一部画素構造の概要を示す図であり、図１０は図９に示す画素構造の内の四つの画素ユニットの概要を示す図である。
【００３９】
図９及び図１０に示す通り、本実施例において、ＯＬＥＤディスプレイパネルの画素構造は複数の配列が配置された画素ユニット１１０を有し、各画素ユニット１１０はそれぞれ一つの第一副画素１１１と、一つの第二副画素１１２と、一つの第三副画素１１３と、二つの第四副画素１１４という五つの副画素を有し、前記第一副画素１１１は画素ユニット１１０専用であり、第二副画素１１２と、第三副画素１１３と、第四副画素１１４は隣接する四つの画素ユニットで共用される。
【００４０】
本実施例が実施例一と異なる点は、第一副画素１１１と、第二副画素１１２と、第三副画素１１３と、第四副画素１１４がいずれも正方形であって、かつ隣接する二つの画素ユニットの第一副画素１１１と、第二副画素１１２と、第三副画素１１３と、第四副画素１１４がいずれも自己対称である点である。具体的には、任意の隣接する二つの仮想的な四角い囲みが共通の辺を共有し、図１０中の仮想的な辺Ｌ１と、Ｌ２に示す通り、隣接する二つの第一副画素１１１と、第二副画素１１２と、第三副画素１１３と、第四副画素１１４が該点線の辺Ｌ１又はＬ２に沿って自己対称である。
【００４１】
実施例四
本実施例は、実施例一又は実施例二又は実施例三に記載の画素構造を有するＯＬＥＤディスプレイパネルを提供するものである。
【００４２】
一つの実施形態において、第一副画素１１１と、第二副画素１１２と、第三副画素１１３と、第四副画素１１４中に各画素を駆動するためのゲート線、データ線、駆動用電源線等の電源線が設置される。また画素限定層等の各画素を限定するための絶縁層が設置される。好ましくは、一つの実施形態において、第一副画素１１１と、第二副画素１１２と、第三副画素１１３と、第四副画素１１４中においてそれぞれに対応する陽極と、有機発射層と、陰極を有するＯＬＥＤが設置される。電源線、画素限定層、陽極等によって各画素の形状が限定される。これら構造は本分野において周知の技術であり、本文では説明を簡潔にするため、その更なる説明を省略するが、本分野の技術者ならば、これを理解すべきである。
【００４３】
ＯＬＥＤディスプレイパネルの画素内に備えられる有機発射層はマスク（ファインメタルマスク（ＦＭＭ）等）を用いた沈積工程によって形成される。隣接する画素間の間隙を減少させることで画素の高い開口率が得られるものの、沈積の信頼性が低下してしまう。その反面、画素間の間隙を拡大させることで沈積の信頼性は向上するものの、画素の開口率が低下してしまう。
【００４４】
本考案は従来のＲＧＢ画素の配置構造を転換し、第二副画素と、第三副画素と、第四副画素を四角形になるように配置し、第一副画素が前記四角形内に位置し、第一副画素は主に表示するために発光し、第二副画素と、第三副画素と、第四副画素は補助的に発光する。このように、補助的に発光する副画素は配色のみに使用され、光度の提供には使用されないため、これによりその面積は従来の構造よりも更に小さくなり、主に表示するために発光する副画素のためにより多くの空間を残すことが可能となる。同一のＰＰＩと設計マージンでの状況下において、主に表示するために発光する副画素の開口率を向上させ、ＯＬＥＤディスプレイパネルの使用寿命の短縮を抑制し、部品の寿命を延長させることができる。同一のＰＰＩと開口率での状況下において、補助的に発光する副画素の面積を縮小することができ、隣接する副画素間の間隙を相応に拡大することによって、ファインメタルマスクを使用する沈積工程における有機発射層の沈積安定性を改善し、製品の設計マージンを高めさせ、工程の難度を低下させることができる。
【００４５】
本明細書の各実施例は累加的形式を用いてこれを説明するものであり、各実施例において重点的に説明するのは全てその他の実施例と異なる点についてであり、各実施例間の同一及び類似部分は相互に参照すべきであることを特筆しておく。
【００４６】
上述の説明は本考案の比較的好ましい実施例の説明に過ぎず、本考案の範囲を何ら限定するものではなく、本分野の一般の技術者が上述の記載内容に基づき加えた変更、修正は、等しく特許請求において保護される範囲に該当する。
【符号の説明】
【００４７】
１ 表示域
２ 非表示域
１１０ 画素ユニット
１１１ 第一副画素
１１２ 第二副画素
１１３ 第三副画素
１１４ 第四副画素
Ｘ１ 第一仮想直線
Ｘ２ 第二仮想直線
Ｙ１ 第一仮想直線
Ｙ２ 第二仮想直線 
【図１】
0003211280.tif 000003
【図２】
0003211280.tif 000004
【図３】
0003211280.tif 000005
【図４】
0003211280.tif 000006
【図５】
0003211280.tif 000007
【図６】
0003211280.tif 000008
【図７】
0003211280.tif 000009
【図８】
0003211280.tif 000010
【図９】
0003211280.tif 000011
【図１０】
0003211280.tif 000012
【手続補正書】
【提出日】平成29年4月19日(2017.4.19)
【手続補正１】
【補正対象書類名】実用新案登録請求の範囲
【補正対象項目名】全文
【補正方法】変更
【補正の内容】
【実用新案登録請求の範囲】
【請求項１】
有機発光ディスプレイパネルであって、
複数の配列が配置された画素ユニットが形成される構造を有し、
各画素ユニットが一つの第一副画素と、一つの第二副画素と、一つの第三副画素と、二つの第四副画素とを有し、
前記第二副画素と、第三副画素と、第四副画素が四角形になるように配置され、かつ前記第一副画素を取り囲み、前記第二副画素と、第三副画素と、第四副画素が隣接する四つの画素ユニットで共用される、  ことを特徴とする有機発光ディスプレイパネル。
【請求項２】
前記第二副画素と第三副画素がそれぞれ四角形の相対する二つの頂点上に位置し、
前記二つの第四副画素がそれぞれ四角形の別の相対する頂点上に位置する、
ことを特徴とする請求項１に記載の有機発光ディスプレイパネル。
【請求項３】
前記第一副画素がその隣接する第二副画素の中心点と、第三副画素の中心点を結ぶ接続線上に位置し、及び／又は、前記第一副画素がその隣接する二つの第四副画素の中心点との接続線上に位置する、
ことを特徴とする請求項２に記載の有機発光ディスプレイパネル。
【請求項４】
前記第一副画素と、第二副画素と、第三副画素と、第四副画素がいずれも多角形である、
ことを特徴とする請求項１に記載の有機発光ディスプレイパネル。
【請求項５】
前記第一副画素と、第二副画素と、第三副画素と、第四副画素が四角形、六角形、八角形の内の一種又はその任意の組み合わせである、
ことを特徴とする請求項１に記載の有機発光ディスプレイパネル。
【請求項６】
前記第一副画素が長方形であり、前記第二副画素と、第三副画素と、第四副画素がいずれも正方形である、
ことを特徴とする請求項５に記載の有機発光ディスプレイパネル。
【請求項７】
前記第一副画素の短辺方向が隣接する第二副画素の中心点と、第三副画素の中心点の接続方向に平行であって、前記第一副画素の長辺方向が隣接する二つの第四副画素の中心点との接続方向に平行であり、
又は、前記第一副画素の短辺方向が隣接する第二副画素の中心点と、第三副画素の中心点の接続方向に垂直であって、前記第一副画素の長辺方向が隣接する二つの第四副画素の中心点との接続方向に垂直である、
ことを特徴とする請求項６に記載の有機発光ディスプレイパネル。
【請求項８】
隣接する二つの画素ユニットの第一副画素と、第二副画素と、第三副画素と、第四副画素がいずれも対称に設置される、
ことを特徴とする請求項６に記載の有機発光ディスプレイパネル。
【請求項９】
前記第一副画素と、第二副画素と、第三副画素と、第四副画素の発光色がそれぞれ異なる、
ことを特徴とする請求項１に記載の有機発光ディスプレイパネル。